【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
基材；及び
少なくとも１種の非イオン性界面活性剤（少なくとも１種の非イオン性界面活性剤の曇点は重合温度よりも低い）の存在下、及びイオン性界面活性剤の非存在下に、重合温度において水性媒体中で重合する、１種以上の共重合可能な非イオン性モノマー由来のポリマーを含む、前記基材に近接して提供される水蒸気の透過を制限する被膜を含む製品。
【請求項２】
前記基材がコンクリート又は石こうである、請求項１に記載の製品。
【請求項３】
前記基材がポルトランドセメントを含む、請求項１又は２に記載の製品。
【請求項４】
前記基材が石又はタイルである、請求項１又は３に記載の製品。
【請求項５】
前記少なくとも１種の非イオン性界面活性剤が、アルキルアルコール、アルキルベンゼンアルコール又はジアルキルベンゼンアルコールのアルキレンオキシド付加物を含み、前記アルキレンオキシド基の数が１４以下である、請求項１から４までのいずれか１項に記載の製品。
【請求項６】
前記アルキレンオキシド基が式（ＥＯ）m（ＰＯ）nで表され、（ＥＯ）がエチレンオキシドであり、（ＰＯ）がプロピレンオキシドであり、（ｍ＋ｎ）≦１４である、請求項５に記載の製品。
【請求項７】
前記少なくとも１種の非イオン性界面活性剤が、６〜１０モルのエチレンオキシドを有するトリデシルアルコールのエチレンオキシド付加物を含む、請求項５又は６に記載の製品。
【請求項８】
前記１種以上の共重合可能な非イオン性モノマーが、スチレン、（メタ）アクリレート、ブタジエン、（メタ）アクリルアミド、及び（メタ）アクリルアミド誘導体からなる群から選択される、請求項１から７までのいずれか１項に記載の製品。
【請求項９】
被膜が更に顔料を含む、請求項１から８までのいずれか１項に記載の製品
【請求項１０】
前記顔料が炭酸カルシウムを含む、請求項９に記載の製品。
【請求項１１】
水中に２４時間浸漬した後の被膜の吸水量が、乾燥被膜の質量を基準にして１０質量％未満である、請求項１から１０までのいずれか１項に記載の製品。
【請求項１２】
前記被膜が、基材に直接コーティングされている、請求項１から１１までのいずれか１項に記載の製品。
【請求項１３】
前記被膜が、
分散媒体中に分散した少なくとも１種のポリマーを含む、電気的に中性のポリマー分散液（前記ポリマー分散液は、少なくとも１種の非イオン性界面活性剤の存在下、及びイオン性界面活性剤の非存在下に、重合温度において１種以上の非イオン性の共重合可能なモノマーを重合して形成されている）を基材に近接して塗布し、及び
前記分散媒体を蒸発させることにより形成される、請求項１から１２までのいずれか１項に記載の製品。
【請求項１４】
前記ポリマーがイオン性モノマーに由来しない、請求項１から１３までのいずれか１項に記載の製品。
【請求項１５】
前記被膜に近接して提供されるコーティング層を更に含み、前記被膜が、前記基材と前記コーティング層との間に位置する、請求項１から１４までのいずれか１項に記載の製品。
【請求項１６】
前記コーティング層が接着剤を含む、請求項１５に記載の製品。
【請求項１７】
基材；及び
少なくとも１種の非イオン性界面活性剤（非イオン性界面活性剤が、アルキルアルコール、アルキルベンゼンアルコール又はジアルキルベンゼンアルコールのアルキレンオキシド付加物を含み、前記アルキレンオキシド基の数が１４以下である）の存在下、及びイオン性界面活性剤の非存在下に重合する、１種以上の共重合可能な非イオン性モノマー由来のポリマーを含む、前記基材に近接して提供される水蒸気の透過を制限する被膜を含む製品。
【請求項１８】
前記アルキレンオキシド基が、１個以上のエチレンオキシド（ＥＯ）m及びプロピレンオキシド（ＰＯ）nを含み、（ｍ＋ｎ）≦１４である、請求項１７に記載の製品。
【請求項１９】
分散媒体中に分散された少なくとも１種のポリマー、及び
少なくとも１種の顔料を含む組成物であって、
前記組成物が、少なくとも１種の非イオン性界面活性剤の存在下、及びイオン性界面活性剤の非存在下に、重合温度において１種以上の非イオン性の共重合可能なモノマーを重合することにより形成されており、少なくとも１種の非イオン性界面活性剤の曇点が重合温度よりも低い組成物。
【請求項２０】
前記少なくとも１種の顔料が炭酸カルシウムを含む、請求項１９に記載の組成物。
【請求項２１】
前記少なくとも１種の非イオン性界面活性剤が、アルキルアルコール、アルキルベンゼンアルコール又はジアルキルベンゼンアルコールのアルキレンオキシド付加物を含み、前記アルキレンオキシド基の数が１４以下である、請求項１９又は２０に記載の組成物。
【請求項２２】
前記アルキレンオキシド基が式（ＥＯ）m（ＰＯ）nで表され、（ＥＯ）がエチレンオキシドであり、（ＰＯ）がプロピレンオキシドであり、（ｍ＋ｎ）≦１４である、請求項２１に記載の組成物。
【請求項２３】
前記少なくとも１種の非イオン性界面活性剤が、６〜１０モルのエチレンオキシドを有するトリデシルアルコールのエチレンオキシド付加物を含む、請求項２１又は２２に記載の組成物。
【請求項２４】
前記１種以上の共重合可能な非イオン性モノマーが、スチレン、（メタ）アクリレート、ブタジエン、（メタ）アクリルアミド、及び（メタ）アクリルアミド誘導体からなる群から選択される、請求項１９から２３までのいずれか１項に記載の組成物。
【請求項２５】
請求項１９から２４までのいずれか１項に記載の組成物を乾燥させることにより形成される被膜。
【請求項２６】
水中に２４時間浸漬した後の被膜の吸水量が、乾燥被膜の質量を基準にして１０質量％未満である、請求項２５に記載の被膜。
【請求項２７】
基材に近接して水蒸気バリア組成物を塗布することを含む、基材に対する水蒸気の透過に影響を及ぼす方法であって、
前記水蒸気バリア組成物が、基本的に、アニオン性界面活性剤の非存在下、及び少なくとも１種の非イオン性界面活性剤（少なくとも１種の非イオン性界面活性剤の曇点が重合温度よりも低い）の存在下に、重合温度において分散媒体中で１種以上のモノマーを重合することにより形成された電気的に中性のポリマー分散液を含む方法。
【請求項２８】
前記少なくとも１種の界面活性剤が、アルキルアルコール、アルキルベンゼンアルコール又はジアルキルベンゼンアルコールのアルキレンオキシド付加物を含み、前記アルキレンオキシド基の数が１４以下である、請求項２７に記載の方法。
【請求項２９】
前記アルキレンオキシド基が式（ＥＯ）m（ＰＯ）nで表され、（ＥＯ）がエチレンオキシドであり、（ＰＯ）がプロピレンオキシドであり、（ｍ＋ｎ）≦１４である、請求項２８に記載の方法。
【請求項３０】
前記少なくとも１種の非イオン性界面活性剤が、６〜１０モルのエチレンオキシドを有するトリデシルアルコールのエチレンオキシド付加物を含む、請求項２９に記載の方法。
【請求項３１】
前記１種以上の共重合可能な非イオン性モノマーがスチレン及びブタジエンを含む、請求項２７から３０までのいずれか１項に記載の方法。
【請求項３２】
前記水蒸気バリア組成物が、更に少なくとも１種の顔料を含む、請求項２７から３１までのいずれか１項に記載の方法。
【請求項３３】
前記水蒸気バリア組成物が、基材に直接塗布される、請求項２７から３２までのいずれか１項に記載の方法。
【請求項３４】
前記基材がポルトランドセメントを含む、請求項２７から３３までのいずれか１項に記載の方法。
【請求項３５】
前記水蒸気バリア組成物が、湿潤コンクリートに塗布される、請求項２７から３４までのいずれか１項に記載の方法。
【請求項３６】
水蒸気バリア組成物の製造方法であって、
少なくとも１種の非イオン性界面活性剤（少なくとも１種の非イオン性界面活性剤の曇点は重合温度よりも低い）の存在下、及びイオン性界面活性剤の非存在下に、重合温度において、分散媒体中で１種以上の非イオン性の共重合可能なモノマーを重合し、ポリマー分散液を製造することと、
前記ポリマー分散液を顔料と混合することを含む製造方法。
【請求項３７】
制限された水蒸気透過性を有する被膜の製造方法であって、
少なくとも１種の非イオン性界面活性剤（少なくとも１種の非イオン性界面活性剤の曇点は重合温度よりも低い）の存在下、及びイオン性界面活性剤の非存在下に、重合温度において、分散媒体中で１種以上の非イオン性の共重合可能なモノマーを重合し、ポリマー分散液を製造することと、
前記ポリマー分散液を顔料と混合して水蒸気バリア組成物を製造することと、
前記水蒸気バリア組成物を蒸発させて被膜を形成することを含む製造方法。